(57)【特許請求の範囲】
【請求項１】
犬が水を直接飲むことができる高さで適宜の躯体に配置されて固定された貯水部と、該貯水部に水を供給する第１の水供給手段とを備えた犬の水飲み装置と、前記貯水部から溢れ出た水を受けるとともに、該貯水部の水を飲もうとする犬が入ることのできる大きさの犬の足を洗う浅広漕とを備えた足洗い場を備えたことを特徴とする建物。
【請求項２】
前記貯水部は、上縁が傾斜されていることを特徴とする請求項１に記載の建物。
【請求項３】
前記躯体は前記足洗い場の背面に立設された背板であることを特徴とする請求項１に記載の建物。
【請求項４】
前記背板は、意匠性を付与するための意匠部又は標章部を備えたことを特徴とする請求項３に記載の建物。
【請求項５】
前記貯水部は、前記背板に少なくとも大型犬が水を直接飲むことのできる高さで固定され、上縁が背面から前方へ向かって下降傾斜されたことを特徴とする請求項３又は請求項４に記載の建物。
【請求項６】
前記犬の水飲み装置は、高さが異なって配置された二つ以上の貯水部を備えていることを特徴とする請求項１に記載の建物。
【請求項７】
前記貯水部は上縁が傾斜され、高さが高く配置された貯水部から溢れ出た水は、高さの低い貯水部への水供給手段となることを特徴とする請求項６に記載の建物。
【請求項８】
前記浅広漕は排水部を備え、該浅広槽に入った犬が足を洗うに使用する第２の水供給手段を備えたことを特徴とする請求項１に記載の建物。
【請求項９】
前記第２の水供給手段は、水の噴出が直接犬から視認できないように遮蔽物により遮蔽された蛇口または散水パイプの少なくとも一方を備えていることを特徴とする請求項８に記載の建物。
【請求項１０】
前記第２の水供給手段は、前記躯体の下方に配置されていることを特徴とする請求項９に記載の建物。
【請求項１１】
前記第２の水供給手段は、前記貯水部の背後を横断して設けられていることを特徴とする請求項１０に記載の建物。
【請求項１２】
前記浅広漕は前記躯体より離れた位置に排水部を備え、前記貯水部は、前記第２の水供給手段から供給された水が前記排水部に排水される水道（みずみち）に配置されたことを特徴とする請求項１１に記載の建物。
【請求項１３】
前記躯体は、コンクリート躯体に装着された意匠性を備えた背板であることを特徴とする請求項１に記載の建物。
【請求項１４】
前記貯水部の上縁には、前記貯水部内に必要量以上の余剰の水が供給された場合に水が溢れ出る凹状の溢水部が設けられていることを特徴とする請求項１に記載の建物。
【請求項１５】
前記建物は、ペット同居型集合住宅であることを特徴とする請求項１〜１４のいずれかに記載の建物。
【請求項１６】
前記足洗い場は、前記ペット同居型集合住宅の入口付近の共用部に設けられ、該共用部にはトリミングルームと愛玩動物用の汚物処理装置とが配設されていることを特徴とする請求項１５に記載の建物。
【請求項１７】
前記足洗い場は、前記建物の入口付近に設けられていることを特徴とする請求項１に記載の建物。
【発明の詳細な説明】
【０００１】
【発明の属する技術分野】
この発明は、犬などのペットが足を洗う足洗い場を備えた建物に関する。
【０００２】
【従来の技術】
犬や猫等が好きな人は、家族の一員として生活を共にしたいと思っている人が多い。一戸建てでは、比較的自由に犬や猫等のペットを飼うことができるが、集合住宅では、ペットを飼うのを禁止していたり、自由にペットを飼うことができない場合が多い。
【０００３】
集合住宅の中には、いわゆる「ペット可マンション」というのがあるが、これは、ペットを飼うことを禁止しないというだけで、構造上は、もともと人間だけが住むことを考えて作られており、ペットを飼うのに適したような工夫がなされていない。
【０００４】
たとえば、散歩中に汚れたペットを自室に連れ帰った場合を想定しよう。汚れたペットを連れ帰った飼い主は、集合住宅の共用部（玄関、廊下など）や自室内が汚れないようにペットを抱きかかえるなどして自室に連れ帰り、玄関や風呂場のドアを開けることは大変である。また、荷物を持っているときにはこの一連の作業はさらに大変になる。
【０００５】
共用の洗い場を備えた集合住宅も知られているが、この洗い場は、人間が利用することを前提に設計されている。このため、犬などのペットが利用するには不都合なことが多い。また、人間用の洗い場でペットを洗うとペットの臭いなどがその洗い場に残ってしまい、他の居住者の顰蹙を買うことも多い。
【０００６】
そこで、本出願人は、犬などのペットを自由に飼えるように工夫したペット同居型集合住宅（いわゆるペットマンション）を提案し、すでに実用新案登録第３０３３３９２号を取得している。この実用新案登録によれば、集合住宅の住宅入口付近の共用部に、犬や猫等のペットの衛生設備を設けることが提案されている。また、この衛生設備としては、水供給手段としての蛇口や散水パイプなどが排水口を備えた浅広槽に設けられている。
【０００７】
このようなペット同居型集合住宅によれば、ペットを連れて散歩から帰った場合には、まず、浅広漕にペットを連れていく。この浅広漕でペットの足等を洗い、きれいになったペットは集合住宅の共用部を利用して自室に連れ帰ることができる。
【０００８】
【発明が解決しようとする課題】
しかしながら、このような浅広漕に、散歩直後の犬を直接連れていくと、犬は水を見るとすぐに飲みたがる。この犬の習性のために、浅広漕で泥だらけの足を洗った水まで、犬が飲み始めることもある。このようなも汚れた水を飲むことは、ペットの飼い主にとっては嫌なことであり、いきおい汚れた水を飲もうとする犬を叱責する場合がある。このような場合、犬は飼い主の叱責を、浅広漕に入ってはいけないものと勘違いするためか、次回の散歩から帰った場合にこの浅広漕に入ることを嫌がることになる。
【０００９】
また、飼い主は、蛇口や散水パイプから供給される水を直接飲むようにペットを指導する場合もあるが、犬が水を飲む場合には、蛇口等から直接飲むのは飲みづらい。適当な水飲み椀などを利用すればよいが、水飲み椀を持ち歩くのは不便であるし、また、水飲み腕を水場に備えても、水飲み椀が紛失する場合もある。
【００１０】
そこで、この発明は、汚れたペットの足等を洗うことができる足洗い場であって、ペットが進んで利用できる足洗い場を備えた建物を提供することを目的としている。
【００１１】
また、この発明は、居住者及びペットが住みやすい環境を整えたペット同居型集合住宅を提供することを目的としている。また、この発明は、ペットを連れた飼い主が利用しやすい環境を整えた建物を提供することを別の目的としている。
【００１２】
【課題を解決するための手段】
請求項１に記載の発明は、犬が水を直接飲むことができる高さで適宜の躯体に配置されて固定されて配置された貯水部と、該貯水部に水を供給する第１の水供給手段とを備えた犬の水飲み装置と、前記貯水部から溢れ出た水を受けるとともに、該貯水部の水を飲もうとする犬が入ることのできる大きさの犬の足を洗う浅広漕とを備えた足洗い場を備えたことを特徴とする建物である。
【００１３】
このように構成すれば、第１の水供給手段により貯水部に水が供給される。この貯水部は犬が直接水を飲むことができる高さに配置されているので、犬はこの貯水部に溜まった水を直接飲むことができる。また、この貯水部から溢れ出た余剰の水は、浅広漕に受けることができ、この浅広漕は、犬がすっぽり入って足を洗えるに十分な大きさを備えているので、飼い主はこの足洗い場により容易に散歩直後の犬の足の汚れを洗うことができる。散歩直後の犬は水を欲しがるという習性を有するので、散歩直後の犬は固定された貯水部に供給される水を飲むために、浅広漕からなる足洗い場に進んで入る。
【００１４】
また、この足洗い場は、建物に備えられているので、建物を利用する人及びペットを連れた人が共に住みやすい環境を整えることができる。
このような建物としては、一戸建て住宅はもちろんのこと、ペット病院、ペット美容室、ペットホテル、ペット美容教室などのペットを連れて入る集会所などペットを連れて入るペット専用の建物が例示される。また、一般の病院、美容室、老人ホーム、ホテルなどのペットを連れてくる可能性のある建物でもよい。
請求項２に記載の発明は、前記貯水部は、上縁が傾斜されていることを特徴とする請求項１に記載の建物である。
【００１５】
このように構成すれば、貯水部の上縁が傾斜されているので、この貯水部に給水された水は、上縁の一側縁から溢れ出るので、中型犬や小型犬などの小さな犬もその溢れ出た水を飲むことができる。
【００１６】
請求項３に記載の発明は、前記躯体は前記足洗い場の背面に立設された背板であることを特徴とする請求項１に記載の建物である。
【００１７】
このように構成すれば、背板に貯水部が固定され、この貯水部の下方には浅広漕が配置されるので、貯水部へ供給された余剰の水は、浅広漕に溢れ出る。
【００１８】
請求項４に記載の発明は、前記背板は、意匠性を付与するための意匠部又は標章部を備えたことを特徴とする請求項３に記載の建物である。
【００１９】
このように構成すれば、背板は意匠性を付与する意匠部又は標章部を備えているので、この足洗い場は、配置される状況に応じて意匠性を備えた又は標章を表した構成とすることができる。たとえば、この足洗い場が集合住宅、建物又は公園等に付属した設備として配置される場合には、その集合住宅、建物又は公園等の名称や標章を付した構成とすることもできる。
【００２０】
請求項５に記載された発明は、前記貯水部は、前記背板に少なくとも大型犬が水を直接飲むことのできる高さで固定され、上縁が背面から前方へ向かって下降傾斜されたことを特徴とする請求項３又は請求項４に記載の建物である。
【００２１】
このように構成すれば、犬が水を飲んでいる犬の足下に貯水部の上縁から水が溢れ出るので、犬の足を洗うのが容易となる。
【００２２】
請求項６に記載の発明は、前記犬の水飲み装置は、高さが異なって配置された二つ以上の貯水部を備えていることを特徴とする請求項１に記載の建物である。
【００２３】
このように構成すれば、大型犬は、高さの高い貯水部から直接水を飲むことができ、小型犬は、高さの低い貯水部から直接水を飲むことができる。
【００２４】
請求項７に記載の発明は、前記貯水部は上縁が傾斜され、高さが高く配置された貯水部から溢れ出た水は、高さの低い貯水部への水供給手段となることを特徴とする請求項６に記載の建物である。
【００２５】
このように構成すれば、高さの低い貯水部への水供給手段が簡略化されると共に意匠性も優れる。
【００２６】
請求項８に記載された発明は、前記浅広漕は排水部を備え、該浅広槽に入った犬が足を洗うに使用する第２の水供給手段を備えたことを特徴とする請求項１に記載の建物である。
【００２７】
このように構成すれば、第１の水供給手段により水飲みポットへ水を供給しながら、第２の水供給手段により供給された水により浅広漕に入った犬の足の汚れを洗うことができる。
【００２８】
請求項９に記載の発明は、前記第２の水供給手段は、水の噴出が直接犬から視認できないように遮蔽物により遮蔽された蛇口または散水パイプの少なくとも一方を備えていることを特徴とする請求項８に記載の建物である。
【００２９】
犬は、水が噴水している傍には近寄らないが、この第２の水供給手段は、水の噴出が犬から直接視認できないように遮蔽物を備えているので、犬は怖がることなく洗い場に足を運ぶことになる。
【００３０】
請求項１０に記載の発明は、前記第２の水供給手段は、前記躯体の下方に配置されていることを特徴とする請求項９に記載の建物である。
【００３１】
このように構成すれば、躯体の下方に第２の水供給手段を配置したので、この第２の水供給手段から浅広漕の床面を流れる水により犬の足を洗うことができ、また、浅広漕で犬を洗う際にこの水供給手段が干渉することがない。
【００３２】
請求項１１に記載の発明は、前記第２の水供給手段は、前記貯水部の背後を横断して設けられていることを特徴とする請求項１０に記載の建物である。
【００３３】
このように構成すれば、犬が貯水部から水を飲んでいる状態で、貯水部の背後に配置された第２の水供給手段に供給された水により犬の足を洗うことができる。
【００３４】
請求項１２に記載の発明は、前記浅広漕は前記躯体より離れた位置に排水部を備え、前記貯水部は、前記第２の水供給手段から供給された水が前記排水部に排水される水道（みずみち）に配置されたことを特徴とする請求項１１に記載の建物である。
【００３５】
このように構成すれば、犬が貯水部から水を飲んでいる状態で、貯水部の背後に配置された第２の水供給手段に供給された水は、水道に沿って犬の足下を排水部に向かって流れるので、この流水により犬の足を洗うことができる。
【００３６】
請求項１３に記載の発明は、前記躯体は、コンクリート躯体に装着された意匠性を付与するための意匠部又は標章部を備えた背板であることを特徴とする請求項１に記載の建物である。
【００３７】
このように構成すれば、足洗い場は意匠性又は標章を付す構成とすることができる。これにより、建物躯体の内外を問わずに配置しても、美観を損なうことがなく、また、モニュメントとしての利用もできる。
【００３８】
請求項１４に記載の発明は、前記貯水部の上縁には、前記貯水部内に必要量以上の余剰の水が供給された場合に水が溢れ出る凹状の溢水部が設けられていることを特徴とする請求項１に記載の建物である。
【００３９】
このように構成すれば、貯水部内の必要量以上の余剰の水を溢水部からあふれ出させることができる。
【００４２】
ここで、これらの入口とは、集合住宅の表玄関はもちろんのこと、裏玄関等を包含し、たとえば、建物に地下駐車場などを備える場合には、その地下駐車場よりの入口であってもよい。また、各住宅に入口が個々に設けられていてもよい。
【００４３】
また、入口付近とは、建物にコート、パティオ等と称される中庭を備え、この中庭から建物に入る場合には、この中庭も包含される。
【００４６】
請求項１５に記載の発明は、前記建物は、ペット同居型集合住宅であることを特徴とする請求項１〜１４のいずれかに記載の建物。
【００４７】
このように構成すれば、居住者及びペットが住みやすい環境を整えたペット同居型集合住宅を提供することができる。
【００４８】
請求項１６に記載の発明は、前記足洗い場は、前記ペット同居型集合住宅の入口付近の共用部に設けられ、該共用部にはトリミングルームと愛玩動物用の汚物処理装置とが配設されていることを特徴とする請求項１５に記載の建物である。
【００４９】
このように構成すれば、入口付近の共用部に設けられた足洗い場、トリミングルーム及び汚物処理装置を利用することにより、各自の居室に行くまでの間に、汚物を処理でき、また、犬の足を洗うことができる。また、ペットの体全体が汚れている場合には、トリミングルームで汚れを落とした後、各自の居室に行くことができる。
【００５３】
請求項１７に記載の発明は、前記足洗い場は、前記建物の入口付近に設けられていることを特徴とする請求項１に記載の建物である。
【００５４】
このように構成すれば、入口付近に設けられた足洗い場を利用することにより、犬の足を洗った後に建物に入ることができる。
【００５５】
ここで、これらの入口とは、集合住宅の表玄関はもちろんのこと、裏玄関等を包含し、たとえば、建物に地下駐車場などを備える場合には、その地下駐車場よりの入口であってもよい。また、各住宅に入口が個々に設けられていてもよい。
【００５６】
また、入口付近とは、建物にコート、パティオ等と称される中庭を備え、この中庭から建物に入る場合には、この中庭も包含される。
【００５７】
また、共用部とは、複数の居住者が共用して利用する部分であり、複数の棟から構成される集合住宅群に共通に設けられたコミュニケーションスペースでもよい。これらの共用部は、集合住宅と一体に設計されており、各居室への通路は化粧が施されたり、少なくとも舗装されていることが多い。それゆえ、これらの共用部が屋外に設けられていても、各居室へ移動する際に、洗った犬の足が汚れることが少ない。
【００５８】
【発明の実施の形態１】
以下、この発明の実施の形態１について説明する。
【００５９】
図１〜図４は、この発明のペット同居型集合住宅の実施の形態１の一例を示すものである。
【００６０】
まず構成を説明すると、図中、符号１０１は集合住宅で、この図１にはこの集合住宅１０１の１階部分が示されている。
【００６１】
この１階部分は、５世帯が居住できる住居１０２…が設けられると共に、集合住宅１０１への住宅入口１０３が設けられている。
【００６２】
そして、この住宅入口１０３の付近の共用部には、エントランスホール１０４が設けられ、このエントランスホール１０４には、２階につながる階段１０５が配設されると共に、この階段１０５の下側のエントランスホール１０４奥側には、トリミングルーム１０９と囲い壁１０６に囲まれた愛玩動物用の汚物処理装置（便器等）１０７とが配設されている。
【００６３】
この汚物処理装置１０７は、水洗処理式で、糞を水と一緒に浄化槽まで流すことができるようになっている。また、この汚物処理装置１０７としては、本出願人の保有する意匠登録願平成１０年第２１３６０号（登録）のようなものでもよい。
【００６４】
また、この囲い壁１０６は、高さが１３００ｍｍ程度で上方が開放され、汚物処理装置１０７の周囲に四角形に設けられた周壁を有し、この周壁の一部に開放式の入口が設けられると共に、この入口から汚物処理装置１０７が直接見えないように内側に向けて隠蔽壁１０６ｃが設けられている。
【００６５】
また、トリミングルーム１０９には、図２に示すように、ペットバス１１０，トリミングテーブル１１１等が設けられ、このペットバス１１０に付帯して図示省略のシャワー装置が、また、トリミングテーブル１１１に付帯して図示省略のドライヤー装置等が配設されている。
【００６６】
また、この集合住宅１の入り口１０３近傍には、足洗い場１２０が設けられている。図１では、この足洗い場１２０は、敷地内ではあるが門扉の外側に設けられている。この足洗い場１２０は、図３に示すように、庭等と仕切によって区切られたエントランス内に外気を遮断して設けられていてもよい。
【００６７】
この足洗い場１２０は、図４に示すように、排水口１２１を備えた浅広槽１２２と、この浅広槽１２２の一側方に立ち上げられた壁（躯体）１２６とを備えている。この壁１２６の前面１２６ａには、浅広槽１２２に入ったペットに使用する複数の水供給手段を備えている。この水供給手段は、水飲みポット３へ水を供給する蛇口１２３、ペットを洗うのに使用する大量の水を供給する蛇口１２４及びパイプの長手方向に一ないし複数列の小さな穴があけられた散水パイプ１２５である。
【００６８】
この水飲みポット３は、上方が開口１７したポット状（半球状）であり、この開口１７から小型犬又は大型犬が直接水を飲める程度の高さに配置されている。この水飲みポット３の上縁の前方には、凹状の溢水部２２が設けられ、蛇口１２３から供給された水は、ポット内に必要量が貯留されるとこの溢水部２２から水が溢れ出る。大型犬が直接水を飲める高さにこの水飲みポット３を配置しても、小型犬は溢れ出る水を飲むことができる。
【００６９】
散水パイプ１２５の上側にはステンレス棚１２７が設けられ、荷物やペットの足を乗せたりして洗う際の利便性が考えられている。また、符号１２８は散水パイプ１２５の水の供給停止をする手元水栓である。蛇口１２４、水栓１２８は、適切な温度の温水が流せるような混合水栓であってもよい。
【００７０】
次に、作用について説明する。
【００７１】
ペットを連れて散歩から帰った場合には、まず、集合住宅１０１の住宅入口１０３付近の屋外又は屋内に設けられた足洗い場１２０に連れていく。ここで蛇口１２３をひねり、水飲みポット３に水を供給する。これにより、水飲みポット３に必要な水が貯留されると余剰の水は溢水部２２から溢れ出す。散歩直後の犬はのどが渇いているので、この浅広漕１２２内に進入し、水飲みポット３から水を飲みだす。
【００７２】
ついで、蛇口１２４をひねり浅広槽１２２に水を張り、あるいは手元水栓１２８をひねって散水パイプ１２５から散水してペットの足等を洗う。この時、棚１２７は物を置いたり、ペットの足を掛けたりすることに使う。
【００７３】
犬の汚れを落した後に住宅入口１０３からエントランスホール１０４に入るか、また、エントランスホ−ル１０４内で汚れを落とすかは集合住宅の構造による。散歩の途中で拾った糞は、汚物処理装置１０７に捨て、ペダルを操作して、水と一緒に浄化槽まで流せばよい。
【００７４】
これにより、すべての居住者は、各自の住居１０２まで行く間のエントランスホール１０４で糞を処理でき、また、ペットの足を洗うことができる。このようにして、糞の処理や足洗いを済ませた後は、ペットを歩かせ、あるいは衣服が汚れることを気にすることなく抱き上げて、自室に連れていくことができる。
【００７５】
一方、ペットの体全体が汚れている場合等には、トリミングルーム１０９のペットバス１１０でシャワー装置等を使って汚れを落し、トリミングテーブル１１１上でドライヤー装置等を使って水分を乾かし、毛繕い等を行う。このような作業は密閉空間であるトリミングルーム１０９内で行われるため、毛が飛んで近隣の住宅等に迷惑を掛けることがない。これにより、自分の住居１０２へペットを綺麗にして入れることができる。
【００７６】
このようにすることによって、居住者及びペットが住みやすい環境を整えたペット同居型集合住宅を提供することができる。
【００７７】
【変形例】
実施の形態１の集合住宅１０１は、図２４に示すように、複数の棟１０１Ａ、１０１Ｂ…からなる集合住宅であってもよい。このような集合住宅においては、各棟１０１Ａ、１０１Ｂ間に共用部としてのいわゆるコミュニティースペース１０４´が設けられ、各住居１０２Ａ、１０２Ｂへの入口１０３Ａ、１０３Ｂはそれぞれの通路１０５Ａ、１０５Ｂや上階へ通じる階段１０５´により、このコミュニティスペース１０４´に連結されている。また、このコミュニティスペース１０４´、各通路１０５Ａ、１０５Ｂ及び階段１０５´は、化粧又は舗装されている。
【００７８】
このコミュニティスペース１０４´には、複数の棟１０１Ａ、１０１Ｂ…の居住者等が共通して使用できる不図示の水飲みポットを備えた足洗い場１２０´が設けられている。また、この足洗い場１２０´の背後には、水回り装置、衛生装置などを配置するスペース１０７´が設けられ、たとえば、水洗式の愛玩動物用の汚物処理装置が配置されている。
【００７９】
このような構成によれば、散歩直後に犬に水を飲ませながら、足洗い場１２０´で犬の足を洗った後に、居住者が足を洗った犬を連れ歩いても犬の足等が汚れることはない。また、スペース１０７´に汚物処理装置を配置すれば、犬に水をやりながら、汚物を処理することができる。
【００８０】
また、このスペース１０７´には、愛玩動物用のその他の衛生設備、水回り装置はもちろんのこと、人間用の衛生設備や水回り装置を設けてもよい。
【００８１】
【発明の実施の形態２】
以下、この発明の実施の形態２について図５〜図１１に基づき説明する。
【００８２】
まず構成を説明すると、この発明の実施の形態２に係る足洗い場１は、図５、図６、図７に示すように、大型犬が水を直接飲むことのできる高さで背板（躯体）２の前面２ａに固定された水飲みポット３と、背板２の下方から前面に向かって水平に形成された浅広漕５とを備えている。
【００８３】
この背板２の前面２ａには、中央に肖像、鏡などのモニュメント１４ａを配置するモニュメント配置部１４を備え、向かって左側（図面左側）に水飲み場としての水飲みポット３を配置するポット配置部１５と、右側に給水制御手段を配置する給水配置部１６とを備えている。これらの配置部は一体となっていてもよく分割されていてもよい。なお、この背板２は、鉄鋳物、木、セラミック、ＦＲＰ樹脂、ステンレス、石材などの素材から形成されていてもよい。
【００８４】
また、図７に示すように、この背板２の下方には、浅広漕５に向かって水を散水できる散水管（フットシャワー）４が配置されている。この散水管４は、噴出水が浅広漕５側から視認できないように、この背板２の背面に隠れて配置されている。
【００８５】
この浅広漕５は、幅ｗ５が１ｍ〜２ｍ（たとえば、約１５０ｃｍ）、奥行きｄ５が５０ｃｍ〜１ｍ（たとえば、約７０ｃｍ）の方形であり、周囲には高さｈ５が５ｃｍ〜１０ｃｍ程度の立壁５ａが形成されている。その底面（床面）５ｂには、緩やかな傾斜により水勾配（矢印Ｗ）が設けられ、底面５ｂの最下部には排水口６が設けられ、この排水口６には図示を略す排水栓を備えている。これにより、この浅広漕５には、数ｃｍ程度の少量の水を溜めることが可能とされ、犬の足を洗う足洗い場として利用される。なお、この浅広漕５は、この実施の形態２では、タイル仕上げされたモルタルであるが、モルタル仕上げ、アルミ鋳物、鉄鋳物、木、セラミック、ＦＲＰ樹脂、ステンレス、石材などの素材から形成されていてもよい。
【００８６】
一方、背板２は、この足洗い場５の奥に沿って約１００ｃｍの高さｈ２で立設されている。また、その背板２の周縁に沿って約１０ｃｍの奥行きｄ２で円弧状の天板７と両側板８、８とが設けられている。この背板２の裏面２ｂであって天板７と両側板８，８とで囲まれて空間１０は、給水用の配管（後述）などを行うための配管スペースとして利用可能とされている。なお、この背板２の裏面２ｂには配管と干渉しない位置に任意の補強リブが形成され、また、この背板２は、裏面２ｂ側が鉄筋コンクリートなどの躯体１１に直接または適宜の固定手段を介して固定されている（いずれも不図示）。
【００８７】
この水飲みポット３は、図８〜図１０に示すように、上方が開口１７しているポット状（半球状）であり、平板状の後壁１８とその後壁１８から湾曲状に前方に向かって緩く立ち上がる低壁１９と相対向する両側の側壁２０、２０と両側壁２０、２０及び低壁１９から湾曲状に前方に突き出た前壁２１とから構成されている。
【００８８】
この水飲みポット３の上縁は、図９、図１０に示すように、後壁上縁１８ａから側壁上縁２０ａを経て前壁上縁２１ａの中央に向かって僅かに高さｈだけ下方傾斜されている。この前壁上縁２１ａの中央（上縁最下部）には、水飲みポット３内に給水された水を誘導して溢れ出させるための溝状の溢水部２２が設けられている。
【００８９】
後壁１８には、図８、図１０に示すように、固定ボルト２３…が埋設され、背板２に設けられた取付孔を貫通させてこの水飲みポット３は、床面５ｂから上縁２１ａまでの高さｈ３が約４５ｃｍの位置になるように背板２にボルト固定されている。
【００９０】
一方、図６に示すように、給水配置部１６には、犬などのペットが飲んだり足を洗うのに適した水を供給する水栓ユニット３１が設けられている。この水栓ユニット３１は、前面の中央下部に配置された蛇口３２と、その上方に配置されたシングルレバー３３と、その左右に配置された給水調整手段としての右側水栓３４、左側水栓３５とを備え、その左側中央よりの切欠２５内にシャワーヘッド３０を備えている。
【００９１】
この切欠２５には、シャワーヘッド３０を着脱自在に固定するためのフック２７が固定されている。これにより、このシャワーヘッド３０は、固定フック２７から取り外した状態では、切欠２５より引き出し使用ができるように構成されている。
【００９２】
右側水栓３４はシングルレバー３３に接続され、このシングルレバー３３により蛇口３２行きとシャワーヘッド３０行きとに切り替えられる。また、左側水栓３５は図示を略す給水管により分岐されて水飲みポット３へ水を供給する第１の給水手段としての蛇口２４と、犬の足を洗うための第２の給水手段としての散水管４に接続されている。この散水管４の途中には、図示を略す制御バルブが介在され、この制御バルブは、水飲みポット３の水が溢れ出したのを検知してから散水管４に水を供給するように構成されている。
【００９３】
次に、この足洗い場の作用について説明する。
【００９４】
以上のように構成された足洗い場１によれば、散歩から帰った居住者は、玄関周辺に配置される足洗い場１に犬を連れていく。のどが渇いた犬は、水を欲しがるので、左側水栓３５をひねり蛇口２４から水飲みポット３へ水を供給する。これにより、犬は、浅広漕５内に進入してこの水飲みポット３から水を飲み出す。水飲みポット３の水が満タンになると水は溢水部２２から溢れ出す。
【００９５】
この水飲みポット３は、大型犬が直接水を飲むことのできる高さに配置されているので、図１１に示すように、大型犬は、ポット３に溜まった水を開口１７から口を入れて直接飲むことができる。また、このポット３の上縁の前方には最下部に溢水部２２が設けられているので、給水されてこのポット３に溜まった水は、この溢水部２２から溢れ出る。中型犬は前壁２１の外側を伝わり落ちる水を、また、小型犬は、そこから落下する水を飲むことができる。余剰の水Ｗは足洗い場５の床面５ｂを犬の足下を通過して排水口６に向けて流されて、排水口６から排水される。
【００９６】
一方、この水飲みポット３の水が満タンとなると、散水管４への水の供給が開始され、散水管４から水が散水される。このとき犬は、浅広漕５内に足を入れて水飲みポット３から水を飲んでいるが、この散水管４は、背板２の背後にあるので、犬から直接視認できず、また、犬に向けて散水されることがないので、犬は散水管４から水が散水されても、この浅広漕５から逃げ出すことがない。
【００９７】
この散水管４から散水された水は溢水部２２から溢れ出る水Ｗとともに矢印で示した水勾配に従い犬の足下の床面５ｂを排水口６に向けて流下する。これにより、犬の足を洗うことができる。
【００９８】
浅広漕５内に水を溜めて洗いたい場合には、排水口６の栓をして、右側水栓３４をひねり、蛇口３２から浅広漕５に水を供給すればよい。犬の体が汚れている場合などには、レバー３３を切り替えてシャワーヘッド３０を利用すればよい。
【００９９】
これにより、犬が利用するのにも適した足洗い場１を提供することができる。また、このように構成された足洗い場１は、実施の形態１と同様にペット集合住宅の入り口付近に配置することができる。また、この足洗い場１は、一戸建て住宅の玄関付近はもちろんのこと、ペット病院、ペット美容室、ペットホテル、ペット美容教室などのペットを連れて入る集会所などの入り口付近に配置して利用することもできる。
【０１００】
このような、前方が傾斜した構成の水飲みポットによれば、犬の大きさ、ペットの種類に関わらず、ペットは、この水飲みポット３から水を喜んで飲むことができる。また、溢れ出た水は、浅広漕５に受けて排水口６から排水することができる。
【０１０１】
【発明の実施の形態３】
この実施の形態３は、実施の形態２に示す足洗い場１の変形例をより具体的に示す例である。実施の形態２と同一または均等な部位部材については、同一符号を付して説明する。
【０１０２】
この足洗い場４０には、図１２に示すように、実施の形態２の散水管４よりも長さの長い散水管４１が設けられている。また、ポット配置部１５には蛇口カバー４２を備えた水飲みポット４３及び散水管４１への水を供給する水栓４４が備えられている。この蛇口カバー４２は、給水手段（蛇口４５）から水が勢いよく放水されるのを防止するものである。また、給水配置部１６には配置が変更されたシャワーヘッド３０と蛇口３２とが設けられている。この蛇口３２は水栓３４により水の供給調整が行え、また、シャワーヘッド３０は水栓３５により水の供給調整が行えるように構成されている。
【０１０３】
また、この背板２は、基礎ボルトなどにより、ステンレス製の取付部材５０を介してコンクリート躯体１１（後述する）に固定されている。この取付部材（骨組み体）５０は、図１３（ａ）、（ｂ）に示すように、長さが１４５０mmの上方アングル５１１と下方アングル５１２とからなる一対のアングル５１及び両側を構成する長さが６５０mmの一対の側アングル５２から枠体形状に形成されている。この側アングル５２の一側面５２１には、直径１２mmのボルト穴５３が３箇所形成され、その側面５２１と直交する側面５２２にはボルトなどによりネジ止めするためのネジ孔（貫通）５４が３箇所形成されている。
【０１０４】
上方アングル５１１は、両側アングル５２、５２の上端を架け渡して溶接により固定され、下方アングル５１２は両側アングル５２、５２の下端から１５０mm開けた位置で溶接により架け渡し固定され、これにより、枠体状の骨組み体５０が構成される。この骨組み体５０の背面側に接する側アングル５２、５２にはボルト穴５３が配置され、両側に接する側アングル５２，５２には、それぞれネジ孔５４が配置されている。
【０１０５】
一方、背板２は、図１４に示すように、モニュメント配置部１４、ポット配置部１５、給水配置部１６とから構成され、モニュメント配置部１４の周囲にはモニュメント１４ａを固定するための８個のねじ穴５５が設けられ、中央部は大きく開口されている。また、ポット配置部１５には水飲みポット４４を固定するための４個のねじ穴５６、止水栓４３の取り付けのための直径３２mmの貫通孔５７、水飲みポット４４への給水手段を取り付けるための貫通孔５８が設けられ、給水配置部１６には水栓３４，３５を取り付けるための直径３２mmの穴５９、５９が形成されている。
【０１０６】
また、この背板２は、図１５（ｂ）に示すように、各配置部１４〜１６の裏面２ｂ及びその他の箇所に補強リブ９が設けられている。この補強リブ９には、配管や骨組み体５０と干渉しないように切欠９ａ（図１４）が設けられている。また、この背板２の両側壁８には、図１５（ｃ）に示すように、ボルト頭が埋設するように深さ１１mm程度に座ぐりを設けたボルト穴６０が設けられている。このボルト穴６０は、ネジ孔５４に対応する位置に配置され、側アングル５２と背板２とを固定するためのものである。
【０１０７】
モニュメント１４ａは、図１６（ａ）に示すように、表面にたとえば、犬を抱える少年の姿を示す像などが描かれた鋳物であり、その裏面には、図１６（ｂ）に示すように、周囲に裏面に向かって突設した厚み３０mmの肉厚部６１が形成され、その肉厚部６１に沿って、モニュメント配置部１４への固定のための下穴６２が８個設けられている。ねじ穴５５と下穴６２とを相対させて、モニュメント１４ａは、タッピンネジ６２ａなどによりモニュメント配置部１４の前面に固定され（図２０）、モニュメント配置部１４の大きな開口が正面から閉鎖される（図１２）。
【０１０８】
また、水飲みポット４３は、図１７に示すように、奥行き１０〜１５ｃｍ、幅１５〜２０ｃｍ、高さ１０〜２０ｃｍ程度のポット状（半球状）であり、その上方には、犬が水を飲めるように開口１７を備えている。この水飲みポット４３の後壁１８は、背板２（ポット配設部１５）への取付のために平板状である。この後壁１８には、ポット配置部１５に設けられたねじ穴５６に相対する位置に内部に雌ねじが刻印されたボルト溝２３…が形成されている。
【０１０９】
この後壁１８から湾曲状に前方に向かって緩く低壁１９が立ち上がり、その両側は相対向して側壁２０、２０を形成している。また、前壁２１は、両側壁２０、２０及び低壁１９から湾曲状に前方に突き出て形成されている。
【０１１０】
両側壁の上縁２０ａは、後壁上縁１８ａから前壁上縁２１ａの中央に向かって僅かに高さ２５mm程度下方傾斜されている。この前壁上縁２１ａの中央（上縁最下部）には、水飲みポット４３内に給水された水が溢れ出るための溢水部２２が設けられている。この溢水部２２は、犬が水を飲みやすい状態で水が溢れ出やすい構成で有ればよく、この例では、緩い傾斜（Ｖ溝）の最下端に設けられている。
【０１１１】
後壁１８には、上縁２１ａよりも高い位置であって、中心より左右方向にずれた位置に蛇口４５を取り付けるための直径１３mmの貫通孔６３が形成され、この貫通孔６３の周囲には適度な深さの座ぐりを設けたボルト穴６４が３個形成されている。このボルト穴６４は蛇口カバー４２を後壁１８に固定するためのものである。
【０１１２】
この蛇口カバー４２は、図１８に示すように、蛇口４５の先端を上部及び側部から覆うとともに下方に開口を備える構成であり、ボルト穴６４に相対する位置に雌ねじ部が刻印されたボルト溝６５が設けられている。図１９に示すように、このボルト穴６４とボルト溝６５を相対させて、ボルト穴６４からボルト６６を螺合させることにより、蛇口カバー４２を後壁１８に固定することができる。これにより、蛇口４５から勢いよく放出された水は、この蛇口カバー４２により勢いを止められて水飲みポット４３内に緩やかに水が供給される。
【０１１３】
この水飲みポット４３は、図２０に示すように、ポット配置部１５の裏面２ｂからねじ穴５６に固定ボルト６７を貫通させてボルト溝２３に刻印された雌ねじ部と螺合させることにより固定することができる。
【０１１４】
一方、骨組み体５０は、図２１に示すように、建物躯体１１に埋め込まれた基礎ボルト（アンカーボルト）６８をボルト穴５３に挿通させてナット６９により螺合固定される。また、背板２の両側８のボルト穴６０を骨組み体５０のネジ孔５４と衝合するようにこの骨組み体５０に背板２を装着させ、ボルト７０により螺合させて背板２を骨組み体５０に固定する。
【０１１５】
これにより、貫通孔５７には、給水管を配管する鞘管（いずれも不図示）の先端開口が衝合されて蛇口４５はこの給水管に固定される。躯体１１と天板７などの背板２との間には、適宜コーキング７１が施される。
【０１１６】
次に、この足洗い場４０の作用について説明する。
【０１１７】
以上のように構成された足洗い場４０によれば、水飲みポット４３への水供給手段としての蛇口４５は、蛇口カバー４２を備えているので、大容量の水をこの蛇口４５から供給しても周囲に水が飛び跳ねることが無く、また、犬もこれにより驚いたりしない。また、この蛇口４５は、中央より変心しているので、開口１７から犬が水を飲みやすい。また、この溢水部２２は緩い傾斜により形成されているので、溢水部２２から溢れ出る水は、犬が水を飲みやすいように横に広がって溢れ出る。
【０１１８】
一方、この散水管４１は、浅広漕５の長手方向のほぼ全面にわたっているので、大型犬でも、四本の足が流れる水により同時に洗うことができる。
【０１１９】
また、この背板２は、ステンレス製の骨組み体５０を介在されて躯体１１に固定され、かつ、モニュメント１４ａは、この背板２に螺合固定されているので、モニュメント１４ａ、背板２などの強力などが軽減されて、広い材料より選択できる。これにより、意匠性を備えた背板２を用いることが可能となる。
【０１２０】
その他の作用効果は実施の形態２と同様であるので詳細な説明は省略する。このように構成された足洗い場４０は、実施の形態２と同様に、ペット集合住宅の入り口付近、一戸建て住宅の玄関付近、その他の建物、集会所などの入り口付近に配置して利用することもでき、また、公園、その他任意の場所に配置してもよい。
【０１２１】
【発明の実施の形態４】
この実施の形態４は、実施の形態１〜３の変形例として、貯水部としての水飲みポットが複数配置された例を示す。実施の形態３と同一または均等な部位部材については、同一符号を付して説明する。
【０１２２】
まず構成を説明すると、図２２、図２３には、この実施の形態４に係る足洗い場の要部としての水飲み装置を示している。この水飲み装置は、浅広漕５の床面５ａから高さの異なる支持柱７２、７３が立設されている。高さの高い支持柱７２の上端には水供給手段としての蛇口４５を備えた七角形の水飲みポット７４が配置されている。この水飲みポット７４の高さは、上方開口から大型犬が水を直接飲むことのできる高さである。この水飲みポット７４の上縁７４ａは外側（図面左側）に向けて下方傾斜され、その最下部に水が溢れ出る溢水部７５が設けられている。
【０１２３】
この溢水部７５から溢れ出た水を受ける位置に、高さの低い支持柱７３の先端に固定されて五角形の水飲みポット７６が固定されている。この水飲みポット７６は、小型犬が直接水を飲むことのできる高さである。
【０１２４】
このように構成された足洗い場によれば、水栓４４をひねることにより、蛇口４５から水飲みポット７４に水が供給され、大型犬はこの水飲みポット７４に貯水された水を直接飲むことができる。また、水飲みポット７４に供給された余剰の水Ｗは、溢水部７５から溢れ出し、水飲みポット７６の貯水部に注がれる。これにより、小型犬は、この高さの低い水飲みポット７６に貯水された水を飲むことができる。この水飲みポット７６を溢れ出た水は、床面５ｂの勾配に沿って、犬の足下を排水口６に向かって流れる。これにより、犬の足を洗うことができる。その他の構成及び作用は、実施の形態１〜３と同様であるので、詳細な説明は省略する。
【０１２５】
以上、この発明の実施の形態を図面により詳述してきたが、具体的な構成はこの実施の形態に限らず、この発明の要旨を逸脱しない範囲の設計の変更等があってもこの発明に含まれる。
【０１２６】
例えば、実施の形態では、浅広漕５は、略方形であったが、水飲みポットからの水を受けることができ、かつ、犬が入って足を洗うことのできる程度の大きさで有れば、その形状は問わない。たとえば、上面図で方形以外にも、半円形、六角、八角形またはそれらの多角形を任意の位置で切断した形状、意匠性を備えるための曲線形状であってもよい。同様に、背板も建物躯体に固定される場合を含めて、波板状などであってもよい。
【０１２７】
また、以上の実施の形態では、排水部はいずれも排水口であったが、細長い溝を備えた排水部であってもよい。また、給水手段は、温水との混合栓とすることなどにより温水を流させる構成とすることにより、ペットの足を洗う散水手段等から適度の温度の温水を流してもよい。
【０１２８】
また、足を洗った犬の濡れた手足の後始末のために、足拭きマットなどを動線を考慮して配置してもよい。
【０１２９】
同様に、この発明の足洗い場は、その他の衛生設備と隣接して又は一体として設けることにより衛生設備を使用する使用者の動線が短くなる。このような衛生設備としては、実施の形態１で示した汚物処理装置１０７、トリミングルーム、ペットバスなどが包含される。
【０１３０】
また、実施の形態１のペット集合住宅は、高層でも低層でもよく、また、一階のみの集合住宅であってもよい。また、集合住宅は一棟のみならず、二棟以上の集合住宅が寄せ集まって構成されたいわゆる団地などでもよい。二棟以上の集合住宅では、この発明の足洗い場は共用して使用することもできる。この場合、足洗い場から各棟への入口までの通路は舗装されたり、化粧されたりされて、実質的に足を洗った犬の足が再び汚れることのない設計とされることがよい。
【０１３１】
また、実施の形態の足洗い場は、ポット配置部とモニュメント配置部とが分かれていたが、これらの各配置部は一体となったり、混在されていてもよい。また、モニュメントとしては、その足洗い場が配置される場所に相応しい標章を付してもよい。これらの標章は、たとえば、文字、図形、記号、立体的形状等又はそれらの組み合わせによるものが例示される。
【０１３２】
【発明の効果】
以上説明してきたように、この発明によれば、汚れたペットの足等を洗うことができる足洗い場であって、ペットが進んで利用できる足洗い場を提供することができる。また、この発明によれば、居住者及びペットが住みやすい環境を整えたペット同居型集合住宅を提供することができる。また、この発明によれば、ペットを連れた飼い主が利用しやすい環境を整えた建物を提供することができる。
【図面の簡単な説明】
【図１】 この発明の実施の形態に係る集合住宅の一階部分の概略図である。
【図２】 図１の１０９トリミングルーム周辺を拡大する図である。
【図３】 図１の変形例を示す概略図である。
【図４】 この発明の実施の形態に係る足洗い場を示す斜視図である。
【図５】 この発明の実施の形態２の足洗い場１の一部を切り欠いた平面図である。
【図６】 図５の足洗い場１をＡ−Ａ線で切断した際の正面断面図である。
【図７】 図５の足洗い場１をＢ−Ｂ線で切断した際の横断面図である。
【図８】 図５の水飲みポット３の背板２への取り付け状態を説明する図である。
【図９】 図５の水飲みポット３を説明する正面図である。
【図１０】 図９の水飲みポット３をＣ−Ｃ線で切断した断面図である。
【図１１】 この発明の実施の形態の作用を説明する図である。
【図１２】 この発明の実施の形態３の足洗い場４０の正面図である。
【図１３】 図１２の足洗い場４０に用いる骨組み体を説明する図であり、図１３（ａ）は正面図、図１３（ｂ）は側面図である。
【図１４】 実施の形態３に用いる背板２を説明する正面図である。
【図１５】 実施の形態３に用いる背板２を説明する図であり、図１５（ａ）は、部分Ｅを切り欠いた平面図、図１５（ｂ）は底面図、図１５（ｃ）は図１５（ａ）の部分Ｅの拡大図である。
【図１６】 実施の形態３に係るモニュメント１４ａを説明する図であり、図１６（ａ）は正面図、図１６（ｂ）は背面図である。
【図１７】 実施の形態３に用いる水飲みポット４４を説明する図であり、図１７（ａ）は正面図、図１７（ｂ）は平面図、図１７（ｃ）は側面図である。
【図１８】 図１７の水飲みポット４４の付属品である蛇口カバー４２を説明する図であり、図１８（ａ）は正面図、図１８（ｂ）は平面図、図１８（ｃ）は側面図である。
【図１９】 図１８の蛇口カバー４２を水飲みポット４４へ固定して状態を説明する部分拡大図である。
【図２０】 図１４のＤ−Ｄ線で切断した場合の断面図である。
【図２１】 実施の形態３に係る背板２の固定方法を説明するための図１５（ｃ）に示す部分Ｅに対応する位置で示す拡大図である。
【図２２】 実施の形態４に係る足洗い場の要部を説明する平面図である。
【図２３】 実施の形態４に係る足洗い場の要部を説明する正面図である。
【図２４】 この発明の実施の形態に係る変形例の集合住宅の一階部分の概略図である。
【符号の説明】
１、４０、１２０足洗い場
２、１２６ 背板（躯体）
２ａ，１２６ａ 前面
２ｂ 背面２ｂ
３（４３） 水飲みポット
４、１２５ フットシャワー
５、１２２ 浅広漕
６、１２１ 排水口
【図１】
0004083359.tif 000002
【図２】
0004083359.tif 000003
【図３】
0004083359.tif 000004
【図４】
0004083359.tif 000005
【図５】
0004083359.tif 000006
【図６】
0004083359.tif 000007
【図７】
0004083359.tif 000008
【図８】
0004083359.tif 000009
【図９】
0004083359.tif 000010
【図１０】
0004083359.tif 000011
【図１１】
0004083359.tif 000012
【図１２】
0004083359.tif 000013
【図１３】
0004083359.tif 000014
【図１４】
0004083359.tif 000015
【図１５】
0004083359.tif 000016
【図１６】
0004083359.tif 000017
【図１７】
0004083359.tif 000018
【図１８】
0004083359.tif 000019
【図１９】
0004083359.tif 000020
【図２０】
0004083359.tif 000021
【図２１】
0004083359.tif 000022
【図２２】
0004083359.tif 000023
【図２３】
0004083359.tif 000024
【図２４】
0004083359.tif 000025